(57)【要約】【課題】背負い式のバッグと座布団とを組み合わせ、それぞれの持つ機能を相乗してその実用性の倍加を図ることを課題とする。【解決手段】バッグ本体１は上部が開放されていてその開口部３をフラップ４により開閉自在とし、このフラップの付け根部の外面側に座布団２の一辺がファスナー９ａ，９ｂにより着脱自在に取り付けられたことにある。【選択図】図１
0003157738.tif 000002
【実用新案登録請求の範囲】
【請求項１】
背負い用ベルトを備えたバッグ本体と座布団とからなり、バッグ本体の上部位置に角形の座布団の一辺が反転自在に取り付けられていることを特徴とする座布団バッグ。
【請求項２】
前記座布団はバッグ本体に対し着脱自在とされている請求項１記載の座布団バッグ。
【請求項３】
前記バッグ本体は上部が開放されていてその開口部はバッグ本体の一方の面の上端に延設されたフラップにより開閉自在とされ、このフラップの付け根部の外面側に座布団の一辺がファスナーにより着脱自在に取り付けられている請求項１または２記載の座布団バッグ。
【請求項４】
前記座布団を取り付けるファスナーがスライドファスナーである請求項３記載の座布団バッグ。
【請求項５】
前記バッグ本体はその両側部に所要幅の襠を有し、この襠に背負い用ベルトが取り付けられ、座布団を体当てとしたとき背負い用ベルトが邪魔にならないようにされている請求項１〜４のいずれか１項記載の座布団バッグ。
【請求項６】
前記座布団は、前記バッグ本体の一面と略同じ幅とされ、前記開口部を覆うように反転させたときその先端がバッグ本体の下端と略同じ位置におかれる長さとされている請求項１〜５のいずれか１項記載の座布団バッグ。
【請求項７】
前記フラップには複数の止具が取り付けられており、このフラップをバッグ本体の開口部を覆うよう閉じたとき前記止具と対応する位置のバッグ本体に該止具が係着される止具が取り付けられている請求項２〜６のいずれか１項記載の座布団バッグ。
【請求項８】
前記止具は雄雌のホックからなる請求項７記載の座布団バッグ。
【請求項９】
前記座布団をバッグ本体の開口部を跨ぐ方向へ反転させたときの座布団の先端とバッグ本体の外面とに互いに係着する平面ファスナーが取り付けられている請求項２〜８のいずれか１項記載の座布団バッグ。
【請求項１０】
前記座布団は、綿生地からなる外皮と、この外皮内に充填される中綿とからなる綿入れ構造とされている請求項１〜９のいずれか１項記載の座布団バッグ。
【考案の詳細な説明】
【技術分野】
【０００１】
本考案は背負い式バッグと座布団とを組み合わせ、両者の機能の相乗効果によりそれぞれの実用性を高めることができる座布団バッグに関する。
【背景技術】
【０００２】
近年、主に中高年の人々の屋外における余暇の活用形態として旅行や軽いハイキング、史蹟を訪ね歩く散策など、健康維持を兼ねて愛好する人が増えている。
【０００３】
このような行動には、簡単な身の回りの品々や雨具類を携行する必要があることから携帯用バッグが用いられるが、歩くためには両手が空くショルダー型、ナップザック型等の背負い式のバッグが重宝がられている。
【０００４】
一方、散策などの行動途中、疲れを癒すため適時に休息をとることが必要であるが、休息時には何かに腰を下ろして座るのが最も体を休めることができる。
【０００５】
しかしてクッションの効いた椅子など無いような山間や自然の環境の中では路傍の石や倒木、石段など適当な段差のある所に腰を掛けて休むことになる。
【０００６】
このような物の上に腰を掛ける際に多少でもクッション性を得るため衣類などを収納したバッグを置いてその上に腰を下ろしたりしている。
【０００７】
しかしバッグに収納されている品物によっては、その上に直接座ることが難しいほか、収納品によっては不安定な座位になり、十分な休息がとれないばかりでなく腰を痛めてしまうことがある。
【０００８】
さらにバッグを背負ったときクッション性がないため長時間背負って歩行したとき体が痛くなるなどの問題がある。
【０００９】
これらの諸点を有効に解決する手段を示す文献や商品は未だ提供されていない。
【先行技術文献】
【特許文献】
【００１０】
【特許文献１】特開２００３−３１０３９２号
【考案の概要】
【考案が解決しようとする課題】
【００１１】
本考案はこれに鑑み、背負い式のバッグと座布団とを有機的に組み合わせ、それぞれの持つ機能を倍加してその相乗効果により実用性を高めることを課題としてなされたものである。
【課題を解決するための手段】
【００１２】
上記課題を解決する手段として本考案は、背負い用のベルトを備えたバッグ本体と座布団とからなり、バッグ本体の上部位置に角形座布団の一辺を反転自在に取り付けたことにある。この座布団はバッグ本体に対し着脱可能とすることができる。
【００１３】
上記バッグ本体は上部が開放された構造とし、その開口部をフラップによって開閉自在とし、このフラップの付け根部の外面側に座布団の一辺をファスナーにより着脱自在な構成とすることが好ましい。
【００１４】
上記ファスナーはスライドファスナーを用いることが望ましいが、ホック式のファスナーであってもよい。
【００１５】
一方、前記バッグ本体はその両側部に所要幅の襠を有する構成とし、この襠部分に背負い用ベルトを取り付け、座布団を体当てとしたとき背負い用ベルトが邪魔にならないようにすることが望ましい。
【００１６】
前記座布団は、前記バッグ本体の一面と略同じ幅とし、前記開口部を覆うように反転させたときその先端がバッグ本体の下端と略同じ位置におかれる長さとするのがよい。
【００１７】
前記フラップはバッグ本体の開口部を覆うようにしたときその状態を保つよう係着する止具を取り付けるようにすることができる。また座布団をバッグ本体の外側に反転させたときその状態を維持するための止具（平面ファスナー）を取り付けるようにすることが好ましい。
【考案の効果】
【００１８】
本考案によれば、背負い式のバッグを背負うとき体に当たる側に座布団を添わせておけば、座布団を介して体に当たるのでクッション性が与えられ、バッグ内に固い品物を収納してあっても体に直接当たることが防がれ、楽に背負うことができる。
【００１９】
また散策などの行動中に休息をとるときは、バッグ本体に対し座布団を展開させるか座布団を分離して適当な所に置いてその上に腰を下ろすことができ、楽な姿勢で休息することができる。
【００２０】
特にバッグ本体と座布団が一体化されているので座布団を持参するという感覚は全く覚えることなく、かつ余計な荷物が増えるという意識なしに携行することができ、邪魔になることもない。
【００２１】
バッグ本体、座布団カバー、中綿はいずれも綿製品とすることによりリサイクルが容易である。
【図面の簡単な説明】
【００２２】
【図１】本考案による座布団バッグの一実施形態を示す斜視図。
【図２】同、バッグ本体の開口部を開けた状態を示す斜視図。
【図３】同、座布団を分離した状態を示す斜視図。
【図４】同、座布団をバッグ本体の開口部を跨ぐように反転させた状態を示す側面図。
【図５】同、座布団を反対側に位置させた状態を示す側面図。
【図６】鉄製の椅子に座るときの一形態を示す説明図。
【図７】同、他の形態を示す説明図。
【図８】同、他の形態を示す説明図。
【図９】バッグ本体の形態例を示し、（Ａ）は肩に掛けて背負うショルダーバッグ形式、（Ｂ）はナップザック形式とした場合を示す説明図。
【考案を実施するための形態】
【００２３】
本考案による座布団バッグは、図１にその一実施形態の外観を示すように背負い式のバッグ本体１と座布団２とで構成されている。
【００２４】
前記バッグ本体１は、帆布等の厚手の布その他のシート材により形成された縦長形態のもので、図２にみられるようにその上部が開放されていて諸物品を出し入れ自在とされ、この開口部３はバッグ本体１の一方の面１ａの上端に延設されたフラップ４により開閉自在とされている。
【００２５】
前記バッグ本体１の他方の面１ｂの上端は若干延長されており、この延長部分１ｃの外面と前記フラップ４の内面とにそれぞれ相対応して取り付けられた複数の止具（ホック）５，６を係着させることによりフラップ４が開口部３を閉鎖した状態に保つようになっている。
【００２６】
前記座布団２は角形を有するもので、図３に一部を断面として示すように綿生地からなる外皮７と、この外皮７内に充填される中綿８とで構成される綿入れ構造とされている。
【００２７】
前記フラップ４の付け根部の外面と座布団２の一辺とに互いに噛合し得るファスナー（スライドファスナー）９ａ，９ｂが取り付けられ、このファスナー９ａ，９ｂをスライダー１０により閉じ合わせることによりバッグ本体１に座布団２が図１にみられるように実質的に一体化されるようになっている。
【００２８】
このファスナー９ａ，９ｂを分離させることによりバッグ本体１から座布団２を取り外せるようになる。
【００２９】
このファスナー９ａ，９ｂはスライドファスナーに限られるものではなく、スナップ式のファスナーであってもよいことはもちろんである。
【００３０】
上記座布団２のサイズは、前記バッグ本体１の一面と略同じ幅とされ、座布団２をバッグ本体１の開口部３を跨ぐように反転させたとき（図４）、その先端２ａがバッグ本体１の下端と略同じ位置におかれる長さとされている。
【００３１】
またこの状態としたとき座布団２の先端２ａとバッグ本体１の外面１ｂとに互いに係着し得る平面ファスナー１１，１２が取り付けられている。
【００３２】
前記バッグ本体１はその両側に所要幅の襠１３が形成されており、この襠１３に背負い用のベルト１４が支持金具１４ａにより取り付けられている。
【００３３】
このベルト１４は、背負い用バッグとしての形態、すなわち図９（Ａ）に示すショルダーバッグ形式とするか、図９（Ｂ）に示すようにナップザック形式とするかによってそれに適合するベルトを選択して取り付けられる。
【００３４】
次に本考案による座布団バッグの使用態様とその作用について説明する。
【００３５】
（１）図４のように座布団２をバッグ本体１の外側に反転させておくことにより、バッグ本体１内にパソコン等破損しやすい貴重品を収納して携行しても座布団２の存在によりこれがクッション機能を発揮して収納品を保護することができる。
【００３６】
（２）混み合う乗物に乗車したとき前に立つ他の乗客への当たりを柔らかくすることができる。
【００３７】
（３）肌寒い時期や清潔感の強い人がカフェテラス等において鉄製の椅子に座る際に図６に示すように椅子１５の背もたれ１５ａに背負い用ベルト１４を通してその座布団２を椅子１５の座部１５ｂ上に置き、その上に座れば鉄製の椅子１５であっても適度なクッション性が与えられると共に冷たい感触が解消される。なお、背負い用ベルト１４を図６に示すように背もたれ１５ａに通すために、背負い用ベルト１４がその中央部でカセット式に分離接続可能に形成されている。そして、背負い用ベルト１４をその中央部で分離した状態で背もたれ１５ａの後部側から前部側に掛け渡し、背もたれ１５ａの前部側で背負い用ベルト１４をカセット式に接続するようにすればよい。また、背負い用ベルト１４をその中央部でカセット式に分離接続可能に形成することに代えて、背負い用ベルト１４の一対の支持金具１４ａの近傍に中央部でカセット式に分離接続可能なベルトを設け、このベルトを用い、背もたれ１５ａの前部側でこのベルトをカセット式に接続するようにしてもよい。
【００３８】
（４）図７のように座布団２を椅子１５の背もたれ１５ａにそわせるように掛合させれば座布団２が座った人の背中に当たるので座り心地をよくすることができる。
【００３９】
（５）図４のように座布団２をバッグ本体１の外側に位置させて携行すれば座布団２を日干ししていると同様になり、湿気を除いてふわふわした綿の感触を保つことに役立ち、使い心地のよさを保つことができる。
【００４０】
（６）電車や自動車に乗ったとき座布団２を図５のようにその人の腹側にして携行するようにすれば防寒機能を発揮し、冬場でも寒さをしのぐに役立たせることができる。
【００４１】
（７）仮眠する場合、図３のように座布団２を展開させれば座布団２とバッグ本体１とが段差をもって置かれ、バッグ本体１を枕とし、座布団２に背や腰を当てて横になって休息することができる。
【００４２】
（８）図３のようにファスナー９ａ，９ｂを外してバッグ本体１から座布団２を分離させることにより座布団単体として使用することができる。
【００４３】
（９）図８に示すように、座布団２をバッグ本体から分離して用い、背負い用ベルト１４を椅子の背もたれの頂部に懸けるようにしてもよい。
【符号の説明】
【００４４】
１  バッグ本体
２  座布団
３  開口部
４  フラップ
５，６  止具
７  外皮
８  中綿
９ａ，９ｂ  ファスナー（スライドファスナー）
１０  スライダー
１１，１２  平面ファスナー
１３  襠
１４  背負い用ベルト
１５  鉄製椅子
【図１】
0003157738.tif 000003
【図２】
0003157738.tif 000004
【図３】
0003157738.tif 000005
【図４】
0003157738.tif 000006
【図５】
0003157738.tif 000007
【図６】
0003157738.tif 000008
【図７】
0003157738.tif 000009
【図８】
0003157738.tif 000010
【図９】
0003157738.tif 000011
【手続補正書】
【提出日】平成21年10月26日(2009.10.26)
【手続補正１】
【補正対象書類名】実用新案登録請求の範囲
【補正対象項目名】全文
【補正方法】変更
【補正の内容】
【実用新案登録請求の範囲】
【請求項１】
背負い用ベルトを備えたバッグ本体と座布団とからなり、バッグ本体の上部位置に角形の座布団の一辺が反転自在に取り付けられていることを特徴とする座布団バッグ。
【請求項２】
前記座布団はバッグ本体に対し着脱自在とされている請求項１記載の座布団バッグ。
【請求項３】
前記バッグ本体は上部が開放されていてその開口部はバッグ本体の一方の面の上端に延設されたフラップにより開閉自在とされ、このフラップの付け根部の外面側に座布団の一辺がファスナーにより着脱自在に取り付けられている請求項１または２記載の座布団バッグ。
【請求項４】
前記座布団を取り付けるファスナーがスライドファスナーである請求項３記載の座布団バッグ。
【請求項５】
前記バッグ本体はその両側部に所要幅の襠を有し、この襠に背負い用ベルトが取り付けられ、座布団を体当てとしたとき背負い用ベルトが邪魔にならないようにされている請求項１〜４のいずれか１項記載の座布団バッグ。
【請求項６】
前記座布団は、前記バッグ本体の一面と略同じ幅とされ、前記開口部を覆うように反転させたときその先端がバッグ本体の下端と略同じ位置におかれる長さとされている請求項１〜５のいずれか１項記載の座布団バッグ。
【請求項７】
前記フラップには複数の止具が取り付けられており、このフラップをバッグ本体の開口部を覆うよう閉じたとき前記止具と対応する位置のバッグ本体に該止具が係着される止具が取り付けられている請求項２記載の座布団バッグ。
【請求項８】
前記止具は雄雌のホックからなる請求項７記載の座布団バッグ。
【請求項９】
前記座布団をバッグ本体の開口部を跨ぐ方向へ反転させたときの座布団の先端とバッグ本体の外面とに互いに係着する平面ファスナーが取り付けられている請求項２〜８のいずれか１項記載の座布団バッグ。
【請求項１０】
前記座布団は、綿生地からなる外皮と、この外皮内に充填される中綿とからなる綿入れ構造とされている請求項１〜９のいずれか１項記載の座布団バッグ。
【手続補正書】
【提出日】平成21年12月21日(2009.12.21)
【手続補正１】
【補正対象書類名】実用新案登録請求の範囲
【補正対象項目名】全文
【補正方法】変更
【補正の内容】
【実用新案登録請求の範囲】
【請求項１】
背負い用ベルトを備えたバッグ本体と座布団とからなり、バッグ本体の上部位置に角形の座布団の一辺が反転自在に取り付けられていることを特徴とする座布団バッグ。
【請求項２】
前記座布団はバッグ本体に対し着脱自在とされている請求項１記載の座布団バッグ。
【請求項３】
前記バッグ本体は上部が開放されていてその開口部はバッグ本体の一方の面の上端に延設されたフラップにより開閉自在とされ、このフラップの付け根部の外面側に座布団の一辺がファスナーにより着脱自在に取り付けられている請求項１または２記載の座布団バッグ。
【請求項４】
前記座布団を取り付けるファスナーがスライドファスナーである請求項３記載の座布団バッグ。
【請求項５】
前記バッグ本体はその両側部に所要幅の襠を有し、この襠に背負い用ベルトが取り付けられ、座布団を体当てとしたとき背負い用ベルトが邪魔にならないようにされている請求項１〜４のいずれか１項記載の座布団バッグ。
【請求項６】
前記座布団は、前記バッグ本体の一面と略同じ幅とされ、前記開口部を覆うように反転させたときその先端がバッグ本体の下端と略同じ位置におかれる長さとされている請求項１〜５のいずれか１項記載の座布団バッグ。
【請求項７】
前記フラップには複数の止具が取り付けられており、このフラップをバッグ本体の開口部を覆うよう閉じたとき前記止具と対応する位置のバッグ本体に該止具が係着される止具が取り付けられている請求項３記載の座布団バッグ。
【請求項８】
前記止具は雄雌のホックからなる請求項７記載の座布団バッグ。
【請求項９】
前記座布団をバッグ本体の開口部を跨ぐ方向へ反転させたときの座布団の先端とバッグ本体の外面とに互いに係着する平面ファスナーが取り付けられている請求項２〜８のいずれか１項記載の座布団バッグ。
【請求項１０】
前記座布団は、綿生地からなる外皮と、この外皮内に充填される中綿とからなる綿入れ構造とされている請求項１〜９のいずれか１項記載の座布団バッグ。